(57)【要約】【課題】簡易な構成で十分な広告機能を発揮できるとともに、ボトルの首部及びキャップに対する係脱を容易に行うことができるボトル用販売促進具を提供する。【解決手段】ボトル用販売促進具１０は、ボトル１８の首部１９及びキャップ２１を跨ぐように二股状に被せられるシート材１１と、そのシート材１１の二股部１４を連結する連結部１５と、ボトル１８の首部１９とキャップ２１が連結部１５の挿入孔部に挿入された状態でボトル１８の首部１９に係脱可能に形成された係止部とを備えている。シート材１１の外面には広告部が設けられている。シート材１１は一対のシート素材１２により形成され、シート素材１２の頂部に頂部側貼着部１３が形成されるとともに、二股部１４の底部には底部側貼着部２２が形成されている。【選択図】図１
0003186498.tif 000002
【実用新案登録請求の範囲】
【請求項１】
ボトルの首部及びその首部に装着されるキャップを跨ぐように二股状に被せられるシート材と、そのシート材の二股部を連結する連結部と、前記ボトルの首部とキャップが連結部の挿入孔部に挿入された状態でボトルの首部に係脱可能に形成された係止部とを備え、前記シート材の外面には広告部が設けられているボトル用販売促進具。
【請求項２】
前記シート材は一対のシート素材により形成され、シート素材の頂部が貼り合されて頂部側貼着部が形成されるとともに、二股部の底部には底部側貼着部が形成されている請求項１に記載のボトル用販売促進具。
【請求項３】
前記シート材は、キャラクタの形状に形成されている請求項１又は請求項２に記載のボトル用販売促進具。
【請求項４】
前記連結部は挿入孔部を介して対向する一対の連結片により構成され、係止部は両連結片の内側部に形成されている請求項１から請求項３のいずれか一項に記載のボトル用販売促進具。
【請求項５】
前記シート材は、１枚のシート素材に挿入孔部を形成する切取り線、連結部を形成する山折り線及び谷折り線が形成されて構成されている請求項１から請求項４のいずれか一項に記載のボトル用販売促進具。
【請求項６】
前記シート材は、可撓性又は弾性を有する合成樹脂フィルムにより形成されている請求項１から請求項５のいずれか一項に記載のボトル用販売促進具。
【考案の詳細な説明】
【技術分野】
【０００１】
本考案は、例えば飲料用のペットボトルの首部又はキャップに装着され、その外面に宣伝用の広告が掲載されているボトル用販売促進具に関する。
【背景技術】
【０００２】
飲料用のペットボトルの首部又はキャップに装着され、商品の広告を表示する宣伝用の広告具（ポップ広告）が知られている。この広告具は、販売者が推奨したい商品について情報を提供し、その商品に興味を持たせ、購買意欲を促進させるためのものである。
【０００３】
この種の宣伝用広告具が例えば特許文献１に示されている。すなわち、この宣伝用広告具は、天板と、表板及び背板と、側板とを有し、開口されている地側に連設され、折線を介して斜め内側に折り曲げられている装着係止片がボトルネック部に圧着されるように構成されている。また、天板の下方には、天板、表板、背板、側板及び底板で囲まれた空間部が形成され、景品等の小物商品が収納されるようになっている。
【先行技術文献】
【特許文献】
【０００４】
【特許文献１】特開２００３−２９５７６６号公報
【考案の概要】
【考案が解決しようとする課題】
【０００５】
前記特許文献１に記載された従来構成の宣伝用広告具は、天板、表板、背板及び側板により四角箱状に形成されるとともに、その地側に折り曲げ形成された装着係止片が形成され、さらに天板側には小物商品を収納する空間部が形成されていることから、構造が複雑になっている。加えて、装着係止片は広告具の地側の端部から斜め内側に折曲げ形成されているため、広告具をボトルの首部及びキャップに装着して装着係止片が首部に係合したとき、外れ難くなっている。このため、広告具を取り外したい場合等に手間を要し、不便であった。
【０００６】
そこで、本考案の目的とするところは、簡易な構成で十分な広告機能を発揮できるとともに、ボトルの首部及びキャップに対する係脱を容易に行うことができるボトル用販売促進具を提供することにある。
【課題を解決するための手段】
【０００７】
上記の目的を達成するために、本考案のボトル用販売促進具は、ボトルの首部及びその首部に装着されるキャップを跨ぐように二股状に被せられるシート材と、そのシート材の二股部を連結する連結部と、前記ボトルの首部とキャップが連結部の挿入孔部に挿入された状態でボトルの首部に係脱可能に形成された係止部とを備え、前記シート材の外面には広告部が設けられている。
【０００８】
また、前記シート材は一対のシート素材により形成され、シート素材の頂部が貼り合されて頂部側貼着部が形成されるとともに、二股部の底部には底部側貼着部が形成されていることが好ましい。
【０００９】
さらに、前記シート材は、キャラクタの形状に形成されていることが好ましい。
前記連結部は挿入孔部を介して対向する一対の連結片により構成され、係止部は両連結片の内側部に形成されていることが好ましい。
【００１０】
また、前記シート材は、１枚のシート素材に挿入孔部を形成する切取り線、連結部を形成する山折り線及び谷折り線が形成されて構成されていることが好ましい。
加えて、前記シート材は、可撓性又は弾性を有する合成樹脂フィルムにより形成されていることが好ましい。
【考案の効果】
【００１１】
本考案のボトル用販売促進具によれば、簡易な構成で十分な広告機能を発揮できるとともに、ボトルの首部及びキャップに対する係脱を容易に行うことができるという効果を奏する。
【図面の簡単な説明】
【００１２】
【図１】本考案の実施形態におけるボトル用販売促進具の使用状態を示す図であって、（ａ）はボトルにボトル用販売促進具を装着する前の状態を示す正面図、（ｂ）はボトルにボトル用販売促進具を装着した状態を示す正面図。
【図２】ボトル用販売促進具を示す斜視図。
【図３】ボトル用販売促進具を示す断面図。
【図４】ボトル用販売促進具をボトルに装着した状態を示す断面図。
【図５】ボトル用販売促進具のシート材を形成するシート素材を示す展開図。
【図６】本考案の別例におけるボトル用販売促進具を示す斜視図。
【考案を実施するための形態】
【００１３】
以下、本考案の実施形態におけるボトル用販売促進具（以下、単に促進具という）を図１〜図５に基づいて詳細に説明する。
図２及び図３に示すように、本実施形態の促進具１０は、シート材１１を形成する一対のシート素材１２の頂部が一定幅で貼り合された頂部側貼着部１３と、底部ほど拡幅するテーパ状に形成された二股部１４と、その二股部を連結する連結部１５と、該連結部１５に設けられた係止部１６とにより構成されている。前記シート材１１の外面すなわち前面及び背面が広告部１７となり、ボトル用の広告（この実施形態では「ＡＢＣ」）がカラー印刷されている。
【００１４】
図１（ａ）に示すように、ジュース、ワイン等の飲料が収容されるボトル１８は有底円筒状に形成され、その首部１９にはフランジ２０が設けられている。そのフランジ２０より開口側には図示しない雄ねじが形成され、キャップ２１内周の雌ねじが螺合されるようになっている。
【００１５】
前記シート材１１は可撓性又は弾性を有するポリエチレンフィルム、ポリプロピレンフィルム等の合成樹脂フィルムにより形成されている。このため、促進具１０の上部が可撓性を発現でき、外力を受けたときにその外力に応じて変形し、例えばボトル１８の首部１９及びキャップ２１に促進具１０を装着した状態でボトル１８を箱詰めしたとき、促進具１０が撓んで箱詰めに支障を来さないようになっている。また、シート材１１は耐水性を有し、促進具１０に少量の水が付着しても変形したり、破れたりしないようになっている。このシート材１１の幅は、ボトル１８の直径とほぼ同じ寸法に設定され、促進具１０がボトル１８の側方へ大きく突出しないように構成されている。
【００１６】
図２に示すように、前記一対のシート素材１２の底部は一定幅で貼り合された底部側貼着部２２となっている。前記連結部１５は、底部側貼着部２２の上方位置において、一対のシート素材１２間に架設される一対の連結片１５ａにより構成されている。これらの連結片１５ａの内側部がボトル１８の首部１９に設けられたフランジ２０に係止される係止部１６となっている。両連結片１５ａ間には、ボトル１８の首部１９及びキャップ２１が挿入される挿入孔部２３となっている。
【００１７】
そして、図１（ｂ）及び図４に示すように、促進具１０がボトル１８の首部１９及びキャップ２１に装着されたとき、シート材１１の二股部１４がボトル１８の首部１９及びキャップ２１を跨ぐとともに、一対の連結片１５ａの内側部がボトル１８の首部１９に対して係脱可能に係止されるようになっている。
【００１８】
図５に示すように、シート材１１は、１枚のシート素材１２を所定部で切り取ったり、折り曲げたりして形成されている。すなわち、１枚のシート素材１２は細長四角形状に形成され、その中央部にボトル１８の首部１９及びキャップ２１が挿入される四角形状の挿入孔部２３が切取り線２４により切り抜かれている。その挿入孔部２３の中央位置の両側には、山折り線２５が形成されている。この山折り線２５で折り曲げたときの山折り部分が前記連結片１５ａとなっている。
【００１９】
前記挿入孔部２３の両端側には、一定幅をおいて谷折り線２６が形成され、その谷折り線２６と挿入孔部２３との間が底部側糊付け部２７となっている。その底部側糊付け部２７が糊付けされて前記底部側貼着部２２が形成されるようになっている。また、シート材１１の両端部には、一定幅で頂部側糊付け部２８が形成され、それらの頂部側糊付け部２８同士が糊付けされて前記頂部側貼着部１３が形成されるようになっている。
【００２０】
次に、上記のように構成された本実施形態の促進具１０について作用を説明する。
さて、図５に示すように、促進具１０を製作する場合には、１枚のシート素材１２を用意し、その中央部に切取り線２４で切取って挿入孔部２３を形成するとともに、山折り線２５と谷折り線２６を形成する。そして、山折り線２５で山折りするとともに、谷折り線２６で谷折りし、底部側糊付け部２７に糊付けして底部側貼着部２２を形成し、頂部側糊付け部２８に糊付けして頂部側貼着部１３を形成する。このようにして、ほぼ三角筒状をなす促進具１０を速やかに製作することができる。
【００２１】
続いて、図１（ａ）に示すように、促進具１０をボトル１８の首部１９及びキャップ２１に装着する場合には、促進具１０をボトル１８のキャップ２１の上方位置に配置する。次いで、図１（ｂ）に示すように、促進具１０の挿入孔部２３にボトル１８のキャップ２１が嵌まり込むように、促進具１０をキャップ２１に押し付ける。
【００２２】
このとき、図４に示すように、係止部１６すなわち一対の連結片１５ａの内側部がボトル１８のフランジ２０に係止されることから、促進具１０をボトル１８の首部１９に保持することができる。また、シート材１１は可撓性又は弾性を有する合成樹脂により形成されていることから、促進具１０の上部を引っ張り上げることにより、一対の連結片１５ａが撓み、連結片１５ａとボトル１８のフランジ２０との係止が円滑に解除される。
【００２３】
以上の実施形態によって得られる効果を以下にまとめて記載する。
（１）この実施形態の促進具１０は、ボトル１８の首部１９及びキャップ２１を跨ぐ二股部１４を有するシート材１１と、その二股部１４を連結する連結部１５と、前記ボトル１８の首部１９とキャップ２１が連結部１５の挿入孔部２３に挿入された状態でボトル１８の首部１９に係脱可能に形成された係止部１６とを備えている。
【００２４】
このため、促進具１０の挿入孔部２３にボトル１８の首部１９及びキャップ２１を挿入して係止部１６をボトル１８の首部１９に係止することにより、促進具１０をボトル１８に簡単に装着することができる。このとき、シート材１１の外面には広告部１７が設けられ、その広告部１７がボトル１８の首部１９から上方へ突出するように設けられていることから、商品の宣伝効果を良好に発揮することができる。その後、促進具１０を引っ張り上げることにより、係止部１６とボトル１８の首部１９との係止を容易に解除することができる。
【００２５】
従って、本実施形態の促進具１０によれば、簡易な構成で十分な広告機能を発揮できるとともに、ボトル１８の首部１９及びキャップ２１に対する係脱を容易に行うことができるという優れた効果を奏する。
（２）前記シート材１１は一対のシート素材１２により形成され、シート素材１２の頂部が貼り合されて頂部側貼着部１３が形成されるとともに、二股部１４の底部には底部側貼着部２２が形成されている。このため、シート材１１を頂部及び底部において補強することができ、促進具１０の形状保持性を高めることができる。
（３）前記連結部１５は挿入孔部２３を介して対向する一対の連結片１５ａにより構成され、係止部１６は両連結片１５ａの内側部に形成されている。そのため、促進具１０の挿入孔部２３にボトル１８の首部１９及びキャップ２１を挿入又は離脱させることにより、係止部１６を首部１９のフランジ２０に対して容易に係脱させることができる。
（４）前記シート材１１は、１枚のシート素材１２に挿入孔部２３を形成する切取り線２４、連結部１５を形成する山折り線２５及び谷折り線２６が形成されて構成されている。従って、１枚のシート素材１２に切取り線２４、山折り線２５及び谷折り線２６を設けて切取り及び折曲げするだけでよく、促進具１０の構成を簡易にして、製作を迅速に行うことができる。
（５）前記シート材１１は、可撓性又は弾性を有する合成樹脂フィルムにより形成されている。このため、シート材１１が外力を受けたときに外力に応じて変形し、例えば促進具１０をボトル１８に装着した状態で箱詰めが可能である。
【００２６】
なお、前記各実施形態は、次のように変更して具体化することも可能である。
・  図６に示すように、前記シート材１１の頂部側の外形を所望とするキャラクタの形状に形成し、広告部１７にキャラクタの顔等を描いてもよい。この場合には、キャラクタによりボトル１８に収容される商品の販売促進効果を一層高めることができる。
【００２７】
・  図５に示すように、連結片１５ａの内側部に設けられた係止部１６の中央部に、ボトル１８の首部１９のフランジ２０に沿うような円弧状の切欠き部２９を形成してもよい。この場合には、フランジ２０に対する係止部１６の係止力を均一にしたり、調整したりすることができる。
【００２８】
・  前記シート材１１を構成するシート素材１２を紙等の材料によって形成してもよい。また、シート素材１２の材質に応じてその厚さを調整することが好ましい。
【符号の説明】
【００２９】
１０…ボトル用販売促進具、１１…シート材、１２…シート素材、１３…頂部側貼着部、１４…二股部、１５…連結部、１５ａ…連結片、１６…係止部、１７…広告部、１８…ボトル、１９…首部、２１…キャップ、２２…底部側貼着部、２３…挿入孔部、２４…切取り線、２５…山折り線、２６…谷折り線。
【図１】
0003186498.tif 000003
【図２】
0003186498.tif 000004
【図３】
0003186498.tif 000005
【図４】
0003186498.tif 000006
【図５】
0003186498.tif 000007
【図６】
0003186498.tif 000008